(57)【要約】【課題】  観察光学系の軽量化が容易でしかも環境変化があっても良好な光学性能を維持することができる観察光学系及びそれを有する観察装置を得ること。【解決手段】  対物光学系と、該対物光学系によって形成される物体像を正立像とする像反転手段と、該正立像を拡大する接眼光学系とを有し、該接眼光学系で拡大された物体像を観察するための観察光学系において、前記対物光学系は樹脂材料よりなる正の屈折力の樹脂レンズを有し、前記像反転手段は、樹脂材料の樹脂プリズムよりなり、０℃〜４０℃の温度範囲内において、前記樹脂レンズの樹脂材料の温度変化に対する屈折率の変化ｄｎ１／ｄｔ、前記樹脂プリズムの樹脂材料の温度変化に対する屈折率の変化ｄｎ２／ｄｔを適切に設定すること。【選択図】  図１
2020052117.tif 000002
【特許請求の範囲】
【請求項１】
対物光学系と、該対物光学系によって形成される物体像を正立像とする像反転手段と、該正立像を拡大する接眼光学系とを有し、該接眼光学系で拡大された物体像を観察するための観察光学系において、
前記対物光学系は、樹脂材料よりなる正の屈折力の樹脂レンズを有し、
前記像反転手段は、樹脂材料の樹脂プリズムよりなり、
０℃〜４０℃の温度範囲内において、前記樹脂レンズの樹脂材料の温度変化に対する屈折率の変化をｄｎ１／ｄｔ、前記樹脂プリズムの樹脂材料の温度変化に対する屈折率の変化をｄｎ２／ｄｔとするとき、
−１．０×１０−５＜ｄｎ１／ｄｔ≦０
−１．０×１０−５＜ｄｎ２／ｄｔ≦０
なる条件式を満足することを特徴とする観察光学系。
【請求項２】
前記樹脂プリズムの光軸方向の厚さをＤｐ、前記対物光学系の最も物体側のレンズ面から前記接眼光学系の最も観察側のレンズ面までの光軸方向の距離をＬとするとき、
０．２＜Ｄｐ／Ｌ＜１．０
なる条件式を満足することを特徴とする請求項１に記載の観察光学系。
【請求項３】
前記樹脂レンズの焦点距離をｆｉ、前記対物光学系の焦点距離をｆｏｂｊとし、樹脂レンズがｎ枚あるとき、
【数１】
2020052117.tif 000009
を、
【数２】
2020052117.tif 000010
とするとき、
【数３】
2020052117.tif 000011
なる条件式を満足することを特徴とする請求項１または２に記載の観察光学系。
【請求項４】
前記対物光学系は、正の屈折力の第１レンズ群と、前記第１レンズ群よりも観察側に配置された、負の屈折力の第２レンズ群を有し、フォーカシングに際して隣り合うレンズ群の間隔が変化することを特徴とする請求項１乃至３のいずれか１項に記載の観察光学系。
【請求項５】
前記第２レンズ群は、像ぶれ補正に際して光軸に対して直交する成分を含む方向に移動することを特徴とする請求項４に記載の観察光学系。
【請求項６】
前記第２レンズ群は、１枚の負レンズより構成されることを特徴とする請求項４または５に記載の観察光学系。
【請求項７】
前記対物光学系は、負の屈折力の第１レンズ群と、前記第１レンズ群よりも観察側に配置された、正の屈折力の第２レンズ群を有し、フォーカシングに際して隣り合うレンズ群の間隔が変化することを特徴とする請求項１乃至３のいずれか１項に記載の観察光学系。
【請求項８】
前記第２レンズ群は、像ぶれ補正に際して光軸に対して直交する成分を含む方向に移動することを特徴とする請求項７に記載の観察光学系。
【請求項９】
前記第２レンズ群は、１枚の正レンズより構成されることを特徴とする請求項７または８に記載の観察光学系。
【請求項１０】
前記第１レンズ群は、フォーカシングに際して移動することを特徴とする請求項４乃至９のいずれか１項に記載の観察光学系。
【請求項１１】
前記対物光学系は、フォーカシングに際して一体で移動することを特徴とする請求項１乃至３のいずれか１項に記載の観察光学系。
【請求項１２】
前記対物光学系は、像ぶれ補正に際して不動の第１部分群と、前記第１部分群の像側に配置され前記像ぶれ補正に際して光軸に対して直交する成分を含む方向に移動する第２部分群からなることを特徴とする請求項１１に記載の観察光学系。
【請求項１３】
請求項１乃至１２のいずれか１項の観察光学系を有することを特徴とする観察装置。
【発明の詳細な説明】
【技術分野】
【０００１】
本発明は、観察光学系及びそれを有する観察装置に関し、例えば手ぶれ等によって生じる像ぶれ（画像ぶれ）を光学的に補正する機能（防振機能）を備えた双眼鏡・望遠鏡等の観察装置の観察光学系として好適なものである。
【背景技術】
【０００２】
双眼鏡や望遠鏡等の観察装置に用いられる観察光学系において、対象物（物体）を観察する場合には観察光学系の倍率（観察倍率）が高いほど手ぶれによる画像ぶれが増大してくる。多くの観察光学系では対物光学系によって形成された物体像を像反転手段で正立像にし、この正立像を接眼光学系を介して拡大観察する。
【０００３】
従来から、観察装置に用いられる観察光学系として、光学系の一部を平行移動したり（シフトしたり）又は傾ける（チルトする）ことで手ぶれによる画像ぶれを軽減する防振機能を用いた観察光学系が知られている。一般に観察光学系を防振するためには、観察光学系を保持しているメカ機構・電気機構がより複雑となるため、防振機能のない双眼鏡と比べて重量が増大する傾向がある。
【０００４】
特に観察光学系の中でも、像反転手段であるプリズムはレンズ厚が大きく観察光学系の重量の占める割合が大きい。従来、観察光学系を軽量化するため双眼鏡のプリズムの材料を樹脂より構成することが、例えば特許文献１で提案されている。またプロジェクター投射光学系を軽量化するためプリズムを樹脂より構成することが、例えば特許文献２で提案されている。
【０００５】
特許文献１では、観察光学系が複数の光学素子からなる双眼鏡において、双眼鏡のプリズムを軽量化するため少なくとも一部の光学素子が紫外線吸収材を含む樹脂（プラスチック材）よりなる構成を開示している。特許文献２では、プロジェクター投射光学系のプリズムに樹脂（プラスチック材）よりなる構成を開示している。さらにプリズムの温度変化にともなうピント移動を、他の複数レンズの温度変化にともなうピント移動で互いに補償している。
【先行技術文献】
【特許文献】
【０００６】
【特許文献１】特開２０００−６６１１２号公報
【特許文献２】特開２０１３−２１８１６０号公報
【発明の概要】
【発明が解決しようとする課題】
【０００７】
観察光学系に樹脂よりなるレンズやプリズムを用いると、重量を軽減することが容易となる。しかしながら、樹脂は温度変化ｄｔによる屈折率の変化ｄｎの比ｄｎ／ｄｔが大きい。そのため温度変化に対して、所望の光学性能を維持することが困難になる。一般に観察光学系においては、環境変化があっても収差変動が少ないことが要望されている。
【０００８】
観察光学系の軽量化を図るために観察光学系の一部に樹脂よりなるレンズやプリズムを用いて、これらの要望を満足するには、観察光学系のレンズ構成を適切に設定することが重要になってくる。特に樹脂の温度変化に対する屈折率の変化の比を適切に設定することが重要になってくる。
【０００９】
本発明は、観察光学系の軽量化が容易でしかも環境変化があっても良好な光学性能を維持することができる観察光学系及びそれを有する観察装置の提供を目的とする。
【課題を解決するための手段】
【００１０】
本発明の観察光学系は、対物光学系と、該対物光学系によって形成される物体像を正立像とする像反転手段と、該正立像を拡大する接眼光学系とを有し、該接眼光学系で拡大された物体像を観察するための観察光学系において、前記対物光学系は、樹脂材料よりなる正の屈折力の樹脂レンズを有し、前記像反転手段は、樹脂材料の樹脂プリズムよりなり、０℃〜４０℃の温度範囲内において、前記樹脂レンズの樹脂材料の温度変化に対する屈折率の変化をｄｎ１／ｄｔ、前記樹脂プリズムの樹脂材料の温度変化に対する屈折率の変化をｄｎ２／ｄｔとするとき、
−１．０×１０−５＜ｄｎ１／ｄｔ≦０
−１．０×１０−５＜ｄｎ２／ｄｔ≦０
なる条件式を満足することを特徴としている。
【発明の効果】
【００１１】
本発明によれば、観察光学系の軽量化が容易でしかも環境変化があっても良好な光学性能を維持することができる観察光学系が得られる。
【図面の簡単な説明】
【００１２】
【図１】実施例１における観察光学系のレンズ構成図
【図２】実施例１における像ぶれ補正を行っていない場合の縦収差図、像ぶれ補正を行っていない場合の横収差図、第２レンズ群をシフトした場合の横収差図
【図３】実施例２における観察光学系のレンズ構成図
【図４】実施例２における像ぶれ補正を行っていない場合の縦収差図、像ぶれ補正を行っていない場合の横収差図、第２レンズ群をシフトした場合の横収差図
【図５】実施例３における観察光学系のレンズ構成図
【図６】実施例３における像ぶれ補正を行っていない場合の縦収差図、像ぶれ補正を行っていない場合の横収差図、第２レンズ群をシフトした場合の横収差図
【発明を実施するための形態】
【００１３】
以下に、本発明の好ましい実施の形態を、添付の図面に基づいて説明する。
【００１４】
本発明の観察光学系は、対物光学系と、対物光学系によって形成される物体像を正立像とする像反転手段（正立光学系）と、像反転手段で正立像された物体像を拡大する接眼光学系とを有する。そして接眼光学系で拡大された物体像を観察する。
【００１５】
図１は、本発明の観察光学系の実施例１のレンズ断面図である。図２（Ａ）は、実施例１の縦収差図である。図２（Ａ）においてはそれぞれ球面収差、非点収差、歪曲収差、倍率色収差を表している。図２（Ｂ）は実施例１の像ぶれ補正を行っていない場合の横収差図である。図２（Ｂ）の（ａ）、（ｂ）は観察画角ω＝０°と、実視界（観察視界）である観察半画角ω＝３．３°の横収差を表している。
【００１６】
図２（Ｃ）は実施例１の像ぶれ補正を行った場合の横収差図である。図２（Ｃ）の（ａ）、（ｂ）、（ｃ）は、後述する第２レンズ群１１２を光軸１０に対してほぼ直交する方向に１．０ｍｍシフトして、像ぶれ補正を行った場合の横収差図であり、観察画角ω＝０°、観察半画角３．３°、観察半画角−３．３°の場合を示している。
【００１７】
実施例１では、実視界は６．６°であるため、観察半画角ω＝３．３°、観察半画角−３．３°は、観察画角１０割までを示している。収差図に示した、ｄ、Ｆ、Ｃはそれぞれ、ｄ線（波長５８７．６ｎｍ）、Ｆ線（波長４８６．１ｎｍ）、Ｃ線（波長６５６．３ｎｍ）を表している。Ｍはｄ線のメリジオナル、Ｓはｄ線のサジタル像面を表している。以後の実施例でもこの記載については同様である。
【００１８】
図３は、本発明の観察光学系の実施例２のレンズ断面図である。図４（Ａ）は、実施例２の縦収差図である。図４（Ａ）においてｄ、Ｆ、Ｃの説明については、実施例１と同様である。図４（Ｂ）は実施例２の像ぶれ補正を行っていない場合の横収差図である。図４（Ｂ）の（ａ）、（ｂ）は観察画角ω＝０°と、実視界である観察半画角ω＝３．３°の横収差を表している。
【００１９】
図４（Ｃ）は像ぶれ補正を行った場合の横収差図である。図４（Ｃ）の（ａ）、（ｂ）、（ｃ）は、後述する第２レンズ群１１２を光軸１０に対してほぼ直交する方向に１．０ｍｍシフトして、像ぶれ補正を行った場合の横収差図であり、観察画角ω＝０°、観察半画角３．３°、観察半画角−３．３°の場合を示している。
【００２０】
実施例２では、実視界は６．６°であるため、観察半画角ω＝３．３°、観察半画角−３．３°は、画角１０割までを示している。
【００２１】
図５は、本発明の観察光学系の実施例３のレンズ断面図である。図６（Ａ）は、実施例３の縦収差図である。図６（Ａ）においてｄ、Ｆ、Ｃの説明については、実施例１と同様である。図６（Ｂ）は実施例３の像ぶれ補正を行っていない場合の横収差図である。図６（Ｂ）、の（ａ）、（ｂ）は観察画角ω＝０°と、実視界である観察半画角ω＝３．３°の横収差を表している。
【００２２】
図６（Ｃ）は像ぶれ補正を行った場合の横収差図である。図６（Ｃ）において（ａ）、（ｂ）、（ｃ）は、後述する第２レンズ群１１２を光軸１０に対してほぼ直交する方向に１．０ｍｍシフトして、像ぶれ補正を行った場合の横収差図である。そして、観察画角ω＝０°、観察半画角３．３°、観察半画角−３．３°の場合を示している。
【００２３】
実施例３では、実視界は６．６°であるため、観察半画角ω＝３．３°、観察半画角−３．３°は、画角１０割までを示している。
【００２４】
図１のレンズ断面図において、１は観察光学系である。１１は対物光学系であり、フォーカス用の正の屈折力の第１レンズ群１１１、像ぶれ補正用の負の屈折力の第２レンズ群１１２を有している。１２は物体像を正立像とするポロプリズムやペンタプリズムなどの像反転手段である。像反転手段１２はプリズム（光学ブロック）等により構成されるが、図中では光路を展開してブロックで示している。
【００２５】
１０は観察光学系１の光軸、１３は接眼光学系、１４は観察者の眼が位置するアイポイントである。実施例１の観察光学系１では対物光学系１１で形成した物体像を像反転手段１２で正立像とし、その正立像を接眼光学系１３で拡大して拡大像をアイポイント１４より観察する。図３のレンズ断面図において、各部材に付した符号は図１のレンズ断面と同じである。
【００２６】
図５のレンズ断面図において、１は観察光学系である。１１は対物光学系であり、負の屈折力の第１レンズ群１１１、像ぶれ補正用の正の屈折力の第２レンズ群１１２を有している。１２はポロプリズムやペンタプリズムなどの像反転手段である。像反転手段１２はプリズム（光学ブロック）等により構成されるが、図中では光路を展開してブロックで示している。１０は観察光学系１の光軸、１３は接眼光学系、１４は観察者の眼が位置するアイポイントである。
【００２７】
実施例３の観察光学系１では対物光学系１１で形成した物体像を像反転手段１２で正立像とし、その正立像を接眼光学系１３で拡大して拡大像をアイポイント１４より観察する。フォーカシングに際して第１レンズ群１１１が移動する。この他、フォーカシングに際して対物光学系１１が一体的に移動する。
【００２８】
本発明の観察光学系は、物体側から観察側へ順に配置された、対物光学系１１、像反転手段（正立光学系）１２、接眼光学系１３から構成されている。レンズ断面図においては、観察光学系１は１つの鏡筒内に配置されているが、本実施例１の１つである双眼鏡は、対物光学系、像反転手段、接眼光学系からなる観察光学系が左右２つの鏡筒の内部にそれぞれ収容するよう構成されている。対物光学系１１は像ぶれ補正に際して不動の第１部分群と、前記第１部分群の像側に配置され前記像ぶれ補正に際して光軸に対して直交する成分を含む方向に移動する第２部分群からなる。
【００２９】
各実施例において、対物光学系１１は、１枚以上の樹脂材料よりなる正の屈折力の樹脂レンズを有している。像反転手段１２は樹脂材料の樹脂プリズムよりなっている。０℃〜４０℃の温度範囲内において、樹脂レンズの樹脂材料の温度変化に対する屈折率の変化をｄｎ１／ｄｔ、樹脂プリズムの樹脂材料の温度変化に対する屈折率の変化をｄｎ２／ｄｔとする。このとき、
−１．０×１０−５＜ｄｎ１／ｄｔ≦０      ・・・（１）
−１．０×１０−５＜ｄｎ２／ｄｔ≦０      ・・・（２）
なる条件式を満足する。
【００３０】
各実施例では像反転手段１２を、ガラスと比較して比重の小さな樹脂材料（樹脂プリズム）より構成することにより、レンズ厚が大きい（光軸方向の長さが長い）像反転手段１２を軽くして、観察光学系１の軽量化を図っている。
【００３１】
一方、一般的に樹脂材料はガラス材料と比較して、温度変化に対する屈折率の変化が大きい。そのため屋外環境下で使用することの多い観察光学系においては、温度変化による材料の屈折率の変化が起こり、視度ずれや光学性能が変化してしまう。そこで各実施例の観察光学系１においては、対物光学系１１が１枚以上の樹脂材料よりなる正の屈折力の樹脂レンズを有し、このとき観察光学系１全体として樹脂材料の屈折率変化による光学性能の変化が少ないようにしている。このとき樹脂プリズムの材料と樹脂レンズの材料は、同種の樹脂材料であることが望ましい。
【００３２】
次に前述の条件式の技術的意味について説明する。
【００３３】
条件式（１）、（２）の下限を超えると、正の屈折力の樹脂レンズの材料の温度変化に対する屈折率の変化が小さくなるため、樹脂プリズムより発生する光学性能の変化を補償することが困難になる。条件式（１）、（２）の上限値を超える樹脂材料を得ることは困難である。
【００３４】
各実施例において好ましくは、次の条件式のうち１つ以上を満足するのが良い。
【００３５】
樹脂プリズムの光軸方向の厚さをＤｐとする。ここで樹脂プリズムの光軸方向の厚さは、当該樹脂プリズムの物体側の面から観察側の面の光軸上における距離をいう。対物光学系１１の最も物体側のレンズ面から接眼光学系の最も観察側のレンズ面までの光軸方向の距離をＬとする。樹脂レンズの焦点距離をｆｉ、対物光学系１１の焦点距離をｆｏｂｊとし、樹脂レンズがｎ枚あるとき、
【００３６】
【数１】
2020052117.tif 000003
【００３７】
を、
【００３８】
【数２】
2020052117.tif 000004
【００３９】
とする。このとき、つぎの条件式のうち１つ以上を満足するのが良い。
【００４０】
０．２＜Ｄｐ／Ｌ＜１．０                                      ・・・（３）
【００４１】
【数３】
2020052117.tif 000005
【００４２】
次に前述の条件式の技術的意味について説明する。
【００４３】
条件式（３）の下限を超えると、樹脂プリズムより発生する光学性能の変化が小さくなるため、正の屈折力の樹脂レンズによって過剰に補償することになってしまう。このため温度変化に伴う光学性能の変化を軽減することが困難になる。条件値（３）の上限を超えると、対物光学系１１および接眼光学系１３を構成することができなくなり所望の光学性能を満足することが困難になる。
【００４４】
条件式（４）の下限を超えると、正の屈折力の樹脂レンズの材料の温度変化に対する屈折率の変化が小さくなるため、樹脂プリズムで発生する光学性能の変化を補償することが困難になる。条件式（３）の上限を超えると、正の屈折力の樹脂レンズの材料の温度変化に対する屈折率の変化が大きくなるため、樹脂プリズムより発生する光学性能の変化を過剰に補償することになってしまう。このため温度変化にともない所望の光学性能を得ることが困難になる。
【００４５】
更に好ましくは条件式（１）乃至（４）の数値範囲を次の如く設定するのが良い。
【００４６】
−５．０×１０−４＜ｄｎ１／ｄｔ＜０                          ・・・（１ａ）
−５．０×１０−４＜ｄｎ２／ｄｔ＜０                          ・・・（２ａ）
０．２５＜Ｄｐ／Ｌ＜０．５０                                ・・・（３ａ）
【００４７】
【数４】
2020052117.tif 000006
【００４８】
実施例１、２において、対物光学系１１は正の屈折力の第１レンズ群１１１と、第１レンズ群１１１よりも観察側に配置された負の屈折力の第２レンズ群１１２を有し、フォーカシングに際して隣り合うレンズ群の間隔が変化する。第２レンズ群１１２は１枚の負レンズより構成される。第２レンズ群は像ぶれ補正に際して、光軸に対して直交する方向の成分を持つ方向に移動する。
【００４９】
実施例１、２において、対物光学系１１はフォーカシングに際して移動する第１レンズ群と、フォーカシングに際して不動の第２レンズ群とから構成される。実施例１、２において、第１レンズ群１１１は１枚以上の正の屈折力の樹脂レンズ１１１ａを有している。像ぶれ補正を行うために、第２レンズ群１１２の負レンズは光軸１０に対してほぼ直交する方向の成分を含む方向に移動する。
【００５０】
実施例１、２では、接眼レンズ１３が３群４枚のレンズ構成のものを示したが、これに限定するものでなく、ケルナー型等のものを使用しても良い。また、実施例１においての焦点調節は、対物光学系１１中の一部のレンズ群、若しくは全部、あるいは接眼光学系１３を移動させても良い。あるいは像反転手段１２によって行ってもよくその方法については任意の方法が使用できる。図２（Ｃ）、図４（Ｃ）から像ぶれ補正の前後において、所望の光学性能を満足していることがわかる。
【００５１】
実施例３において、対物光学系１１は負の屈折力の第１レンズ群と、第１レンズ群よりも観察側に配置された正の屈折力の第２レンズ群を有し、フォーカシングに際して隣り合うレンズ群の間隔が変化する。第２レンズ群１１２は像ぶれ補正に際して、光軸に対して直交する方向の成分を持つ方向に移動する。
【００５２】
実施例３において、第２レンズ群１１２は１枚の正の屈折力の樹脂レンズ１１２ａより構成される。像ぶれ補正を行うために、第２レンズ群１１２の正レンズ１１２ａは光軸１０に対してほぼ直交する方向の成分を含む方向に移動する。実施例３では、接眼レンズ１３が３群４枚のレンズ構成のものを示したが、これに限定するものでなく、ケルナー型等のものを使用しても良い。
【００５３】
また、実施例３においての焦点調節は、対物光学系１１中の一部のレンズ群、若しくは全部、あるいは接眼光学系１３を移動させても良い。あるいは像反転手段１２によって行ってもよくその方法については任意の方法が使用できる。図６（Ｃ）から像ぶれ補正をした前後において、所望の光学性能を満足していることがわかる。
【００５４】
以下、実施例１乃至３の観察光学系の具体的な数値データ１乃至３を示す。
【００５５】
数値データ１乃至３において、ｉは物体側から数えた順序を示す。面番号ｉは物体側から順に数えている。Ｒｉは第ｉ番目のレンズ面の曲率半径、Ｄｉは第ｉ番目と第ｉ＋１番目の面間隔である。Ｎｄｉとνｄｉはそれぞれｄ線に対する第ｉ面と第（ｉ＋１）面との間の媒質の屈折率、アッベ数を表す。また、非球面の形状は次式にて与えられるものとする。
【００５６】
【数５】
2020052117.tif 000007
【００５７】
ここで、Ｘはレンズ頂点から光軸方向への変位量、ｈは光軸からの距離、Ｒはベースとなる曲率半径、Ｋは円錐定数、Ａ，Ｂ，Ｃは非球面係数である。
【００５８】
数値データ１において、Ｒ１乃至Ｒ５は第１レンズ群１１１、Ｒ６，Ｒ７は第２レンズ群１１２、Ｒ８乃至Ｒ１１は像反転手段１２である。Ｒ１２乃至Ｒ１８は接眼光学系１３である。数値データ２において、Ｒ１乃至Ｒ５は第１レンズ群１１１、Ｒ６，Ｒ７は第２レンズ群１１２、Ｒ８乃至Ｒ１１は像反転手段１２である。Ｒ１２乃至Ｒ１８は接眼光学系１３である。数値データ３において、Ｒ１乃至Ｒ３は第１レンズ群１１１、Ｒ４，Ｒ５は第２レンズ群１１２、Ｒ６乃至Ｒ８は像反転手段１２である。Ｒ９乃至Ｒ１５は接眼光学系１３である。
【００５９】
数値データ１乃至３において前述の各条件式に関係した数値を表１に示す。
【００６０】
（数値データ１）
単位 mm
面データ
面番号      R       D        Nd       νd
1        42.213    2.50    1.80518    25.4
2        30.000    3.97    1.65160    58.6
3       103.435   15.19        
4*       37.295    3.56    1.53160    55.8
5      -152.844    4.04        
6      -292.482    1.80    1.53160    55.8
7        28.681   22.40     
8            ∞     16.00    1.53160    55.8
9            ∞     32.00    1.53160    55.8
10           ∞     16.00    1.53160    55.8
11           ∞      2.40          
12      -11.386    7.10    1.69680    55.5
13      -12.334   12.56     
14      -46.145    1.62    1.84666    23.9
15       19.627    8.07    1.71300    53.9
16      -16.819    0.20     
17       18.063    3.77    1.69680    55.5
18      101.592   13.50    
非球面データ
第４面
Ｋ      0.00000
Ａ     -2.58272E-06
Ｂ     -2.36333E-09
Ｃ      0.00000
実視界  ６．６度
ひとみ径  ３．１ｍｍ
アイレリーフ  １３．５ｍｍ
Ｄｐ＝６４．０
Ｌ＝１５３．１８
ｆ１１２ａ＝５６．７６
ｆ１１＝１０９．６４
（数値データ２）
単位 mm
面データ
面番号      R       D        Nd       νd
1        35.993    2.50    1.80518    25.4
2        26.011    4.43    1.65160    58.6
3       101.274    6.00     
4*       50.640    3.56    1.49171    57.4
5      -105.591    5.65     
6      -141.259    1.80    1.53160    55.8
7        31.749   22.77     
8           ∞      16.00    1.53160    55.8
9           ∞      32.00    1.53160    55.8
10          ∞      16.00    1.53160    55.8
11          ∞       2.40          
12      -11.386    7.10    1.69680    55.5
13      -12.334   12.56     
14      -46.145    1.62    1.84666    23.9
15       19.627    8.07    1.71300    53.9
16      -16.819    0.20     
17       18.063    3.77    1.69680    55.5
18      101.592   13.50    
非球面データ
第４面
Ｋ      0.00000
Ａ     -3.29103E-06
Ｂ     -2.43021E-09
Ｃ      0.00000
実視界  ６．６度
ひとみ径  ３．１ｍｍ
アイレリーフ  １３．５ｍｍ
Ｄｐ＝６４．０
Ｌ＝１４６．４２
ｆ１１２ａ＝７０．１３
ｆ１１＝１０８．８７
（数値データ３）
単位 mm
面データ
面番号      R       D        Nd       νd
1        37.513    3.00    1.58913    61.1
2        70.000    1.50    1.71736    29.5
3        36.991    3.43     
4*       45.793    3.00    1.53160    55.8
5       500.000   64.44     
6            ∞     24.00    1.53160    55.8
7            ∞     24.00    1.53160    55.8
8            ∞      2.40          
9       -11.386    7.10    1.69680    55.5
10      -12.334   12.56     
11      -46.145    1.62    1.84666    23.9
12       19.627    8.07    1.71300    53.9
13      -16.819    0.20     
14       18.063    3.77    1.69680    55.5
15      101.592   13.50    
非球面データ
第４面
Ｋ      0.00000
Ａ     -7.05956E-07
Ｂ      3.02879E-10
Ｃ      0.00000
実視界  ６．６度
ひとみ径  ３．１ｍｍ
アイレリーフ  １３．５ｍｍ
Ｄｐ＝４８．０
Ｌ＝１５９．０９
ｆ１１２ａ＝９４．６１
ｆ１１＝１１０．００
【００６１】
【表１】
2020052117.tif 000008
【符号の説明】
【００６２】
１１      対物光学系
１２      像反転手段
１３      接眼光学系
１４      アイポイント
１１１    第１レンズ群
１１２    第２レンズ群
１１１ａ  正レンズ
１１２ａ  正レンズ
【図１】
2020052117.tif 000012
【図２】
2020052117.tif 000013
【図３】
2020052117.tif 000014
【図４】
2020052117.tif 000015
【図５】
2020052117.tif 000016
【図６】
2020052117.tif 000017